(57)【要約】【課題】ユーザがアプリケーションを公開しているＷｅｂサイトのＵＲＬを知る必要はなく、更に、アプリケーションのダウンロードに伴う通信費も支払う必要の無いアプリケーション提供システムを提供する。【解決手段】サービス端末１には、複数のインストールファイル１００が記憶され、このインストールファイル１００には、アプリケーションを携帯電話２にインストールするためのデータが記憶されている。ユーザ５が携帯電話２をサービス端末１にかざすと、例えば、赤外線通信やＦｅｌｉｃａ（登録商標）の第３者通信などの非接触通信手段で、サービス端末１から携帯電話２へインストールファイル１００が自動で送信され、携帯電話２がインストールファイル１００を受信すると、自動的にインストーラ２０が起動し、アプリケーションが携帯電話２にインストールされる。【選択図】図２
2008027179.tif 000002
【特許請求の範囲】
【請求項１】
携帯電話にアプリケーションを提供するアプリケーション提供システムであって、ユーザが所持する前記携帯電話と、前記携帯電話と通信するサービス端末とから少なくとも構成され、前記サービス端末は、前記携帯電話とデータ通信するための第１の通信手段と、前記アプリケーションを前記携帯電話にインストールためのデータが記述されたインストールファイルと、前記第１の通信手段を用いて、前記携帯電話を検知し、検知した前記携帯電話に前記インストールファイルを送信するアプリケーション提供手段とを備え、前記携帯電話は、前記アプリケーションを記憶するメモリと、前記インストールファイルを用いて前記アプリケーションを前記メモリにインストールするプログラムであるインストーラと、前記サービス端末の前記第１の通信手段に対応する第２の通信手段とを備え、前記サービス端末の前記第１の通信手段と前記携帯電話の前記第２の通信手段とは、前記携帯電話の無線通話手段以外の通信手段であることを特徴とするアプリケーション提供システム。
【請求項２】
請求項１に記載のアプリケーション提供システムにおいて、前記アプリケーション提供システムは、前記携帯電話および前記サービス端末に加え、ネットワークを介して、前記サービス端末に前記インストールファイルを配信する前記サービスサーバとから構成されていることを特徴とするアプリケーション提供システム。
【請求項３】
携帯電話にアプリケーションを提供するサービス端末であって、前記携帯電話の無線通話で利用される手段とは異なる第１の通信手段と、前記アプリケーションを前記携帯電話にインストールためのデータが記述されたインストールファイルと、前記第１の通信手段を用いて、前記携帯電話を検知し、検知した前記携帯電話に前記インストールファイルを送信するアプリケーション提供手段とを備え、前記サービス端末の前記第１の通信手段は、前記携帯電話の無線通話手段以外の通信手段であることを特徴とするサービス端末。
【発明の詳細な説明】
【技術分野】
【０００１】
本発明は、携帯電話を所持するユーザに、アプリケーションを提供するための技術に関する。
【背景技術】
【０００２】
携帯電話に様々なアプリケーションをインストールし、ポイントサービスやクーポン券など様々な用途で、携帯電話を利用することが可能になった。
【０００３】
携帯電話にアプリケーションをインストールするときは、ユーザは携帯電話を用いて、アプリケーションを公開しているＷｅｂサイトにアクセスし、アプリケーションをダウンロードするため専用のＷｅｂページから、アプリケーションを携帯電話にダウンロードし、携帯電話にアプリケーションがインストールされる。
【０００４】
例えば、特許文献１では、ユーザの携帯電話から辞書機能データを配信する要求をサービスセンタのサーバが受けると、サービスセンタのサーバは、要求のあった辞書機能データを含むメールをユーザの携帯電話に対して送信し、携帯電話は受信したメールに含まれている辞書機能データを自動的に登録するサービス提供システムが開示されている。
【特許文献１】特開２００２−２６１９４２号公報
【発明の開示】
【発明が解決しようとする課題】
【０００５】
しかしながら、上述した技術では、ユーザが希望するアプリケーションを携帯電話にインストールするためには、アプリケーションを公開しているＷｅｂサイトのＵＲＬ(Uniform Resource Locator)を何らかの方法で知らなければならい問題があった。
【０００６】
また、アプリケーションを公開しているＷｅｂサイトから、無線電話網などの通信ネットワークを介して、アプリケーションは携帯電話に送信されるため、ユーザが希望するアプリケーションを携帯電話にインストールするためには通信費を支払わなければならない問題もある。
【０００７】
そこで、本発明は、携帯電話にアプリケーションを提供するアプリケーション提供システムにおいて、携帯電話を所持するユーザは、希望するアプリケーションを携帯電話にインストールするために、アプリケーションを公開しているＷｅｂサイトのＵＲＬを知る必要はなく、更に、アプリケーションを携帯電話にインストールするために、無線電話網などの通信ネットワークの通信費も支払う必要の無いアプリケーション提供システムを提供することを目的とする。
【課題を解決するための手段】
【０００８】
上述した課題を解決する第１の発明は、携帯電話にアプリケーションを提供するアプリケーション提供システムであって、ユーザが所持する前記携帯電話と、前記携帯電話と通信するサービス端末とから少なくとも構成され、前記サービス端末は、前記携帯電話とデータ通信するための第１の通信手段と、前記アプリケーションを前記携帯電話にインストールためのデータが記述されたインストールファイルと、前記第１の通信手段を用いて、前記携帯電話を検知し、検知した前記携帯電話に前記インストールファイルを送信するアプリケーション提供手段とを備え、前記携帯電話は、前記アプリケーションを記憶するメモリと、前記インストールファイルを用いて前記アプリケーションを前記メモリにインストールするプログラムであるインストーラと、前記サービス端末の前記第１の通信手段に対応する第２の通信手段とを備え、前記サービス端末の前記第１の通信手段と前記携帯電話の前記第２の通信手段とは、前記携帯電話の無線通話手段以外の通信手段であることを特徴とする。
【０００９】
更に、第２の発明は、第１の発明に記載のアプリケーション提供システムにおいて、前記アプリケーション提供システムは、前記携帯電話および前記サービス端末に加え、ネットワークを介して、前記サービス端末に前記インストールファイルを配信する前記サービスサーバとから構成されていることを特徴とする。
【００１０】
更に、第３の発明は、携帯電話にアプリケーションを提供するサービス端末であって、前記携帯電話の無線通話で利用される手段とは異なる第１の通信手段と、前記アプリケーションを前記携帯電話にインストールためのデータが記述されたインストールファイルと、前記第１の通信手段を用いて、前記携帯電話を検知し、検知した前記携帯電話に前記インストールファイルを送信するアプリケーション提供手段とを備え、前記サービス端末の前記第１の通信手段は、前記携帯電話の無線通話手段以外の通信手段であることを特徴とする。
【００１１】
なお、本発明において、前記サービス端末の前記第１の通信手段と前記携帯電話の前記第２の通信手段とは、前記携帯電話の無線通話手段以外の通信手段で、例えば、ＵＳＢ、赤外線通信手段及びフェリカＦｅｌｉｃａ（登録商標）の非接触通信などの通信手段を意味する。
【発明の効果】
【００１２】
上述した本発明によれば、上述したサービス端末をユーザが利用することで、希望するアプリケーションを携帯電話にインストールするためには、アプリケーションをダウンロードするためのＵＲＬを予め知る必要はなくなる。
【００１３】
また、アプリケーションの送信には、無線通話で用いられる手段とは異なる第１の通信手段が利用されるため、ユーザが所望するアプリケーションを携帯電話にインストールするために、アプリケーションに対する課金以外に、通信費を支払う必要はなくなる。
【００１４】
更に、ネットワークを介してサービス端末にインストールファイルを配信するサービスサーバを備えることで、様々なアプリケーションを携帯電話にインストール可能となる。
【発明を実施するための最良の形態】
【００１５】
ここから、本発明に係るアプリケーション提供システム及びサービス端末について、図を参照しながら詳細に説明する。図１は、アプリケーション提供システムの構成を示した図である。
【００１６】
図１に示したように、本発明に係るアプリケーション提供システムは、ユーザ５が所持する携帯電話２と、携帯電話２にアプリケーションを提供するサービス端末１と、サービス端末１とネットワーク４を介して接続されたサービス事業者サーバ３とから、少なくとも構成される。
【００１７】
サービス端末１には、サービス事業者サーバ３から配信された複数のインストールファイル１００が記憶され、このインストールファイル１００には、アプリケーションを携帯電話２にインストールするためのデータが記憶されている。
【００１８】
ユーザ５が、携帯電話２にアプリケーションをインストールする際、ユーザ５はサービス端末１を操作し、携帯電話２にインストールするアプリケーションを選択した後、所持している携帯電話２をサービス端末１にかざす。
【００１９】
携帯電話２には、非接触通信手段を備えたフェリカＩＣチップ２１が実装され、更に、サービス端末１には、携帯電話２のフェリカＩＣチップ２１と非接触通信するリーダライタ１１を備えている。
【００２０】
携帯電話２をサービス端末１にかざすと、フェリカの非接触通信で、サービス端末１から携帯電話２へインストールファイル１００が自動で送信され、携帯電話２がインストールファイル１００を受信すると、フェリカＩＣチップ２１の機能によって自動的に携帯電話２のインストーラが起動し、ユーザ５がサービス端末１で選択したアプリケーションが携帯電話２にインストールされる。
【００２１】
このように上述したアプリケーション提供システムを用いれば、ユーザ５は、希望するアプリケーションを携帯電話２にインストールするために、アプリケーションをダウンロードするためのＵＲＬを知る必要はなくなる。また、アプリケーションを携帯電話２にインストールするために、無線電話網の利用に伴う通信費も支払う必要はなくなる。
【００２２】
図２は、図１で示したアプリケーション提供システムのブロック図である。図２に示したように、サービス端末１には、サービス事業者サーバ３からネットワーク４介して配信され、携帯電話２にアプリケーションをインストールするためのデータが記述されたインストールファイル１００を記憶するデータベース１２と、携帯電話２と非接触通信する手段となるフェリカリーダライタ１１と、携帯電話２にアプリケーションを提供するためのアプリケーション提供手段１０を備える。
【００２３】
サービス端末１に備えられたフェリカリーダライタ１１とは、携帯電話２に備えられたフェリカＩＣチップと非接触で通信する手段で、携帯電話２のフェリカＩＣチップと通信するために、フェリカで利用される暗号鍵を記憶するＳＡＭなどを備えている。
【００２４】
図３は、データベース１２に記憶されたインストールファイル１００を説明する図である。インストールファイル１００には、携帯電話２のメモリ２２に書き込まれるデータであるバイナリデータ１０１と、携帯電話２を設定するために利用される設定ファイル１０２と、アプリケーションの説明などが記述されたＲＥＡＤＭＥファイル１０３などが圧縮された状態で記述されている。
【００２５】
携帯電話２にアプリケーションをインストールするとき、インストールファイル１００のバイナリデータ１０１とＲＥＡＤＭＥファイル１０３は、携帯電話２のメモリ２２もしくはフェリカＩＣチップ２１に記憶され、設定ファイル１０２は携帯電話２のインストーラ２０によって解釈され、設定ファイル１０２で示されるパスに、バイナリデータ１０１とＲＥＡＤＭＥファイル１０３は配置される。
【００２６】
サービス端末１に備えられたアプリケーション提供手段１０は、データベース１２に記憶されているインストールファイル１００をユーザ５に提供するための手段で、サービス端末１でダウンロード可能なインストールファイル１００の一覧をユーザ５に提示する機能、ユーザ５が選択したインストールファイル１００をデータベース１２の中から検索し、フェリカリーダライタ１１を用いて、検索したインストールファイル１００を携帯電話２に送信する機能を備えている。
【００２７】
携帯電話２には、サービス端末１と通信するための手段となるフェリカＩＣチップ２１と、サービス端末１から受信したインストールファイル１００に含まれるファイルを解凍し、アプリケーション（インストールファイル１００のバイナリデータやＲＥＡＤＭＥファイル）を携帯電話２にインストールするプログラムであるインストーラ２０と、アプリケーションなどが書き込まれるメモリ２２を備えている。
【００２８】
なお、図２においては、携帯電話２には、本発明を説明するために必要な要素のみを図示している。当然のことながら、携帯電話２には上述した以外の要素、例えば、無線通話する手段や写真を撮影する手段は省略している。
【００２９】
携帯電話２のフェリカＩＣチップ２１は、サービス端末１に備えられたフェリカリーダライタ１１と非接触通信するための手段で、ここでは、フェリカの規格に準拠した非接触通信手段を備えている。
【００３０】
フェリカＩＣチップ２１には、フェリカの非接触通信を実現する機能に加え、携帯電話２のメモリ２２とは異なるメモリを備え、更に、フェリカの非接触通信でインストールファイル１００を受信した際、インストーラ２０を自動的に起動し、受信したインストールファイル１００を携帯電話２にインストールする機能を備えている。
【００３１】
携帯電話２のインストーラ２０は、サービス端末１から受信したインストールファイル１００に含まれるファイルを解凍し、設定ファイル１０２に従い、バイナリーデータ１０１及びＲＥＡＤＭＥファイル１０３を、メモリ２２の所定のパスに書き込む。
【００３２】
更に、インストーラ２０は、設定ファイル１０２に従い、アプリケーションを携帯電話２にインストールしたことを示し、携帯電話２上で動作するオペレーティングシステムが利用するデータをメモリ２２に記憶する。
【００３３】
ここから、これまで説明したアプリケーション提供システムの一連の動作について、図を参照しながら詳細に説明する。図４は、アプリケーション提供システムの一連の動作を示したフロー図である。
【００３４】
アプリケーション提供システムの動作の最初のステップＳ１は、ユーザ５がサービス端末１に、サービス端末１でダウンロード可能なインストールファイル１００の一覧表の提示を要求するステップである。このステップでは、ユーザ５は、サービス端末１のパネルなどを操作することで、サービス端末１に一覧表の提示を要求する。
【００３５】
次のステップＳ２は、サービス端末１がインストールファイル１００の一覧表をユーザ５に提示するステップである。このステップでは、サービス端末１のアプリケーション提供手段１０は、データベース１２に記憶されているインストールファイル１００の一覧表をユーザ５に提示する。
【００３６】
図５は、サービス端末１がユーザ５に提示するインストールファイル１００の一覧表を説明するための図である。図５に示したように、サービス端末１がユーザ５に提示する一覧表には、サービス端末１でダウンロード可能なインストールファイル１００の名称がタッチパネルに表示される。
【００３７】
図５では、ポイントアプリケーションとクーポン券アプリケーションを携帯電話２にインストールするためのインストールファイル１００がサービス端末１で可能なことが示されている。
【００３８】
次のステップＳ３は、ユーザ５が、携帯電話２にダウンロードするインストールファイル１００を選択するステップである。例えば、ユーザ５は、図５で図示した一覧表の中から、携帯電話２にダウンロードするインストールファイル１００の名称の一つを選択することで、携帯電話２にダウンロードするインストールファイル１００は選択される。
【００３９】
このステップで、携帯電話２にダウンロードするインストールファイル１００が選択されると、サービス端末１のアプリケーション提供手段１０は、データベース１２に記憶され、フェリカリーダライタ１１を用いて携帯電話２に送信するインストールファイル１００を検索し、検索したインストールファイル１００の送信を準備する。
【００４０】
次のステップＳ４は、携帯電話２が、インストールファイル１００のダウンロードを準備するステップである。このステップでは、サービス端末１に設けらた非接触通信するための所定の箇所に、ユーザ５は携帯電話２をかざし、サービス端末１と携帯電話２とは相互で非接触通信できるようにする。
【００４１】
次のステップＳ５は、携帯電話２がサービス端末１にインストールファイル１００の送信を要求するステップである。このステップでは、ユーザ５が携帯電話２を操作するなどして、サービス端末１にインストールファイル１００の送信を要求する。
【００４２】
次のステップＳ６は、サービス端末１から携帯電話２にインストールファイル１００が送信されるステップである。サービス端末１のアプリケーション提供手段１０は、フェリカリーダライタ１１を利用してインストールファイル１００を携帯電話２に送信し、携帯電話２の非接触通信手段１２はインストールファイル１００を受信し、受信したインストールファイル１００はメモリ２２もしくはフェリカＩＣチップ２１に一時的に保管される。
【００４３】
次のステップＳ７は、アプリケーションが携帯電話２にインストールされるステップである。このステップでは、携帯電話２のインストーラ２０は、ステップＳ６で受信したインストールファイル１００に含まれるファイルを解凍し、設定ファイル１０２に従い、携帯電話２のメモリ２２にアプリケーションをインストールする。
【００４４】
例えば、ポイントアプリケーションを携帯電話２にインストールした場合は、ポイントアプリケーションのバイナリデータ１０１などがメモリ２２もしくはフェリカＩＣチップ２１に記憶され、ポイントの初期値がフェリカＩＣチップ２１に記憶される。
【図面の簡単な説明】
【００４５】
【図１】アプリケーション提供システムの構成を示した図。
【図２】アプリケーション提供システムのブロック図。
【図３】インストールファイルを説明する図。
【図４】アプリケーション提供システムの一連の動作を示したフロー図。
【図５】サービス端末がユーザに提示する一覧表を説明するための図。
【符号の説明】
【００４６】
１  サービス端末
１０  アプリケーション提供手段
１１  フェリカリーダライタ
１２  データベース
２  携帯電話
２０  インストーラ
２１  フェリカＩＣチップ
２２  メモリ
３  サービス事業者サーバ
４  ネットワーク
５  ユーザ
１００  インストールファイル
１０１  バイナリデータ
１０２  設定ファイル
１０３  ＲＥＡＤＭＥファイル
【図１】
2008027179.tif 000003
【図２】
2008027179.tif 000004
【図３】
2008027179.tif 000005
【図４】
2008027179.tif 000006
【図５】
2008027179.tif 000007